(57)【要約】【課題】市町村合併等に伴い、複数の異なる仕様の市区町村防災無線システムが集合されたシステムでは、同一時刻に、複数地区毎に異なる内容の放送をすることができなかった。本発明は、この要求に小規模な変更で、かつ、経済的に対応する手段を提供することを目的とする。【解決手段】音声放送に関わる情報を蓄積する手段と、音声放送に関わる情報を放送せず蓄積のみ行うように制御する手段と、蓄積された音声放送に関わる情報の放送を実施するよう制御する手段とを備えることによる。【選択図】図２
2009094689.tif 000002
【特許請求の範囲】
【請求項１】
親局装置と複数の子局装置により構成され、子局装置が親局装置から送出された音声放送に関わる情報を蓄積する手段と、親局装置が子局装置へ送出した音声放送に関わる情報を子局装置が放送せず蓄積のみ行うように親局装置が子局装置を制御する手段と、子局装置に蓄積された音声放送に関わる情報の放送を実施するように親局装置が子局装置を制御する手段と、を備え、複数の群に区分された子局装置が、同一時刻に、区分された群毎に異なる内容の放送が可能であることを特徴とする市町村防災無線システム。
【発明の詳細な説明】
【技術分野】
【０００１】
本発明は、市町村防災無線システムに関するもので、同一時刻に複数の地域毎に異なった内容の放送を行う場合に適する。
【背景技術】
【０００２】
全国の市町村では、災害の未然防止、被害の最小化、迅速な復旧などを目的とし、各自治体が置かれた地理的、社会的、経済的な環境などにあわせた仕様にもとづく防災無線システムが整備されてきた。防災無線システムの代表的な機能のひとつに同報システムがある。同報システムでは、市町村の庁舎などに設置された親局装置から屋外に設置された子局装置へ防災・行政に関する音声情報を無線により送出し、音声情報を受信した子局装置が拡声器により、あるいは、音声情報を受信した戸別受信機が内蔵のスピーカを介して、その地域や家の住人などに対する一斉通報を行っている。
【０００３】
一方、近年の市町村合併に伴い、合併後の自治体は、合併前の旧市町村が保有・運用してきた仕様の異なる複数の防災無線システムを利用して放送サービスなどを行っている。
【０００４】
複数の異なる仕様の防災無線システムを集めた形のシステムの運用にあたっては様々な課題が発生する。何れの自治体も、限られたられた財源の中で、これらの課題に対応することが求められており、いくつかの技術的な提案がなされ、既に実施されているものもある。
【０００５】
【特許文献１】特開２００２―１０１０５８  市町村防災無線システム蓄積放送方式
【特許文献２】特開２００６―３３９７１２  通信システム
【特許文献３】特開２００７―９６８１０  通信システム
【発明の開示】
【発明が解決しようとする課題】
【０００６】
複数の異なる仕様の市町村防災無線システムを集めた形のシステムを運用する際の課題の一つとして、元来、市町村防災無線システム（固定系）が、システムの性質上、同一時刻に一つの内容を通報していたため、旧市町村の行政区画に該当する地区毎に異なる内容の放送をすることができない。
【０００７】
本発明はこのような背景のもとに行われたものであり、比較的小規模な仕様変更と限られた経済負担で、同一時刻に、地区毎に異なる通報を実現する方法を提供することを目的とする。
【課題を解決するための手段】
【０００８】
親局装置と複数の子局装置により構成され、子局装置が親局装置から送出された音声放送に関わる情報を蓄積する手段と、親局装置が子局装置へ送出した音声放送に関わる情報を子局装置が放送せず蓄積のみ行うように親局装置が子局装置を制御する手段と、子局装置に蓄積された音声放送に関わる情報の放送を実施するように親局装置が子局装置を制御する手段と、を備え、複数の群に区分された子局装置が、同一時刻に、区分された群毎に異なる内容の放送が可能であることを特徴とする。
【発明の効果】
【０００９】
本発明により、例えば、旧行政地区毎に設置された複数の子局群毎に、異なる内容の放送を同一時刻に実施することが可能となる。したがって、防災行政無線を用いた定時放送の運用が異なる自治体が合併した場合においても、それぞれの自治体が長年にわたり行ってきた運用を踏襲できる。
【実施例】
【００１０】
本発明を実現するためのポイントを示したうえで、従来システムとの差異を対比させながら説明する。
【００１１】
本発明はシステムを構成する装置に以下の機能を具備させることで実現される。
第一は、子局装置に「親局装置から受信した音声放送の情報を放送せず、蓄積のみ行う」機能を付加する。
第二は、親局装置および子局装置の制御プロトコル群に、「親局装置から受信した音声放送の情報を放送せず、蓄積のみを行う制御コマンド」および「蓄積された音声放送の情報を放送する制御コマンド」を付加する。
第三は、「蓄積された音声放送の情報を放送する制御コマンド」に識別子を設けることで、誤放送を防止するフェールセーフ機能を付加する。
【００１２】
図１は、市町村防災無線システムで、二つの地区（ここでは地区Ａ、地区Ｂとする）に対して異なる内容の放送を行う様子を示している。
親局装置は、まず、地区Ａ１０４に対する放送１０３を行う。親局装置は、地区Ａ１０４に対する音声放送の情報を無線で送出する。地区Ａの子局装置１０５である拡声子局１０６は、この情報を無線で受信し、直ちに拡声機により地区Ａへの音声放送１０７を行い、併せて、戸別受信機１０８も、この情報を無線で受信しスピーカを鳴動させる。
地区Ａに対する放送が完了すると、親局装置は、次に、地区Ｂ１１４に対する放送１１３を行う。親局装置は、地区Ｂ１１４に対する音声放送に関する情報を無線で送出する。地区Ｂの子局装置１１５である拡声子局１１６は、この情報を無線で受信し、直ちに拡声機により地区Ｂへ音声放送１１７を行い、併せて、戸別受信機１１８も、この情報を無線で受信し、スピーカを鳴動させる。
このように、従来システムの集合体としての市町村防災無線システムにおける放送は、同一時刻に異なる内容の放送ができないため、時間差を設けて順次実施している状況にある。
なお、図１の地区Ａ、地区Ｂに、拡声子局、戸別受信機がそれぞれ１台のみ描かれているが、作図の便宜上、そうしたのであり、複数の拡声子局や戸別受信機の配置を妨げるものではない。
【００１３】
図２は、子局装置（拡声子局）による音声放送の情報の蓄積と、２種類の制御コマンドの導入により、同一時刻に、複数の地区毎に、異なる放送を実現する様子を示したものである。
第一段階では、放送する時刻に先行して、親局装置から順次、無線で送出された地区Ａ向けの音声放送の情報、地区Ｂ向けの音声放送の情報が、地区Ａ、地区Ｂの子局装置（拡声子局）に蓄積される。第二段階で、放送する時刻に至ると、親局装置から、一斉に地区Ａ、地区Ｂする信号が無線で送出され、地区Ａ、地区Ｂで放送が行われる。
【００１４】
第一段階の動作をもう少し詳しく説明する。運用者が、親局装置２０２の自動プログラム送出機能（指定時刻に自動通報を行う機能）等を利用して、まず、地区Ａ２０４向けの音声放送の情報２０３が無線で送出する。「親局装置から受信した音声放送の情報を、放送せず、蓄積のみを行う制御コマンド」を付加されて送信されてきた地区Ａ向けの音声放送の情報２０３を受信した地区Ａの子局装置２０５である拡声子局２０６及び戸別受信機２０８は、親局装置から受信した音声放送の情報２０３を放送せず、蓄積のみ行う。続いて、地区Ｂ２１４向けの音声放送の情報２１３が送出される。「親局装置から受信した音声放送の情報を放送せず、蓄積のみを行う制御コマンド」を付加されて送信されてきた地区Ｂ向けの音声放送の情報２１３を受信した地区Ｂの子局装置２１５である拡声子局２１６及び戸別受信機２１８は、前述の地区Ａの場合と同様に、親局装置から受信した音声放送の情報２１３を放送せず、蓄積のみを行う。
【００１５】
第二段階での動作は、運用者が、前述の自動プログラム送出機能等を利用して、親局装置から、全地区（ここでは、地区Ａ、地区Ｂ）向けに一斉に、「蓄積された音声放送の情報を放送する制御コマンド」２３３，２３４を無線で送出する。「蓄積された音声放送の情報を放送する制御コマンド」２３３，２３４を受信した地区Ａの子局装置２３５である拡声子局２３６及び戸別受信機２３８、並びに、地区Ｂの子局装置２４５である拡声子局２４６及び戸別受信機２４８は、それぞれ、予め蓄積されている、地区Ａ向けの音声放送の情報２０３、地区Ｂ向けの音声放送の情報２１３を、同一時刻に、一斉に放送２３７，２４７する。なお、一斉放送を指示する制御コマンドには、誤放送を防止するための識別子も送信されてくる。
なお、図２において、地区Ａ、地区Ｂに、拡声子局、戸別受信機がそれぞれ１台のみ描かれているが、図１の場合と同様、作図の便宜上、そうしたのであり、複数の拡声子局や戸別受信機の配置を妨げるものではない。
【００１６】
ここでは「蓄積された音声放送の情報を放送する制御コマンド」に付加する識別子の使い分けについては特に触れていないが、「蓄積された音声放送の情報を放送する制御コマンド」に付加する識別子を複数種類使い分けることで、運用面での柔軟性が確保できる。例えば、予め定めた朝、昼、夕の所定時刻に、地区Ａ、地区Ｂに、それぞれ異なる朝の放送内容、昼の放送内容、夕の放送内容を、一斉に放送することができる。
【００１７】
第一段階にあたる自動プログラム送出機能等による音声放送の情報の送出は、通常は、通報を行わない時間帯（夜間等）を利用する。
【００１８】
地区Ａ、地区Ｂの二つの地区の事例を示したが、地区数が多い場合でも同様な方法で一斉放送が可能であることは勿論である。
【図面の簡単な説明】
【００１９】
【図１】時差放送
【図２】同時放送
【符号の説明】
【００２０】
１０１・・・親局装置、１０３・・・地区Ａ向けの音声放送の情報、１０４・・・地区Ａ
、１０５・・・子局装置、１０６・・・拡声子局、１０７・・・放送、１０８・・・戸別受信機、１１３・・・地区Ｂ向けの音声放送の情報、１１４・・・地区Ｂ、１１５・・・子局装置、１１６・・・拡声子局、１１７・・・放送、１１８・・・戸別受信機、２０２・・・親局装置、２０３・・・地区Ａ向けの音声放送の情報、２０４・・・地区Ａ、２０５・・・子局装置、２０６・・・拡声子局、２０８・・・戸別受信機、２１３・・・地区Ｂ向けの音声放送の情報、２１４・・・地区Ｂ、２１５・・・子局装置、２１６・・・拡声子局、２１８・・・戸別受信機、２３２・・・親局装置、２３３・・・地区Ａ向けの音声放送の情報、２３４・・・地区Ａ、２３５・・・子局装置、２３６・・・拡声子局、２３７・・・放送、２３８・・・戸別受信機、２４３・・・地区Ｂ向けの音声放送の情報、２４４・・・地区Ｂ、２４５・・・子局装置、２４６・・・拡声子局、２４７・・・放送、２４８・・・戸別受信機、
【図１】
2009094689.tif 000003
【図２】
2009094689.tif 000004